(57)【要約】【課題】透明ディスプレイの表示内容を回転体の図柄表示と連動させる。【解決手段】特定図柄７ａの回転周波数ｆ１と異色図柄７ｂの回転周波数ｆ２を、ｆ２＝−ｆ１（同周波数、逆方向スクロール）にすると、特定図柄７ａと異色図柄７ｂとが重畳する位置が常に一定となり、特定図柄７ａ（青色の７）と異色図柄７ｂ（オレンジ色の７）とが重なって混色した白色の重畳図柄７ｃが一定の位置に停止表示される。ｆ２＜ｆ１なら重畳図柄７ｃが微速で上昇スクロールし、ｆ２＞ｆ１なら重畳図柄７ｃが微速で下降スクロールして見える。ＥＬディスプレイ１４で表示する内容をリール１２のスクロール表示と連動させることができ、それによって演出効果が向上する。擬似的に停止表示又は微速スクロールにできるので、目押しを極めて良好にサポートできる。【選択図】  図３
2004154492.tif 000002
【特許請求の範囲】
【請求項１】
複数の図柄をスクロール表示するスクロール表示器と、該スクロール表示器の前方に配された透明ディスプレイとを備える遊技機において、
前記スクロール表示器によるスクロール表示の回転周波数に応じて、前記透明ディスプレイの表示を制御する表示制御手段を備えたことを特徴とする遊技機。
【請求項２】
請求項１記載の遊技機において、
前記透明ディスプレイには、前記スクロール表示器にてスクロール表示される図柄中の特定図柄と同形であるが色が異なる異色図柄が表示されることを特徴とする遊技機。
【請求項３】
請求項２記載の遊技機において、
前記異色図柄は、前記スクロール表示器によるスクロール表示と同方向又は逆方向にスクロール表示されることを特徴とする遊技機。
【請求項４】
請求項２記載の遊技機において、
前記異色図柄は、前記スクロール表示器によるスクロール表示と直交する方向にスクロール表示されることを特徴とする遊技機。
【請求項５】
請求項２記載の遊技機において、
前記異色図柄は、前記スクロール表示器に表示される前記特定図柄の表示周期と同期的に間欠表示されることを特徴とする遊技機。
【請求項６】
請求項１から５のいずれか１項に記載の遊技機において、
前記透明ディスプレイがＥＬディスプレイであることを特徴とする遊技機。
【発明の詳細な説明】
【０００１】
【発明の属する技術分野】
本発明は、図柄のスクロール表示を行う遊技機の技術分野に属する。
【０００２】
【従来の技術】
パチスロ機には複数の図柄が描かれたリール又はベルトを複数本（通常は３本）有する図柄表示装置が備わっており、それらを回転させることでスクロール表示を行った後に回転を停止して、停止表示された図柄の組合せで当たり外れが示される。また、パチンコ機等にも同様の図柄表示装置を備えるものがある。
【０００３】
リール又はベルトによるスクロール表示は、図柄が印刷されたフィルムが回転しているだけであり、回転中に見栄えが変わるわけではない。
リール又はベルトを有する図柄表示装置において見栄えを変えるために、リールの前面に透明ディスプレイを配置する技術もあるが（例えば特開２０００−３５０８０５号公報）、リールの回転中に透明ディスプレイで表示する内容は、リールの動きと連動するものではなく、演出効果の向上という点で改善の余地があった。
【０００４】
【特許文献１】
特開２０００−３５０８０５号公報（段落００２０〜００２５、図２）
【０００５】
【発明が解決しようとする課題】
本発明は、複数の図柄をスクロール表示するスクロール表示器と、該スクロール表示器の前方に配された透明ディスプレイとを備える遊技機において、表示上の演出効果を高めることを目的としている。
【０００６】
【課題を解決するための手段および発明の効果】
請求項１記載の遊技機は、複数の図柄をスクロール表示するスクロール表示器と、該スクロール表示器の前方に配された透明ディスプレイとを備える遊技機において、前記スクロール表示器によるスクロール表示の回転周波数に応じて、前記透明ディスプレイの表示を制御する表示制御手段を備えたことを特徴とする。
【０００７】
透明ディスプレイの表示がスクロール表示器によるスクロール表示の回転周波数に応じて制御されるので、例えばスクロール表示器による特定の図柄の表示周期に合わせて透明ディスプレイにおいて該特定の図柄を目立たせたり、逆に目立たなくする等の表示が可能になる。つまり、透明ディスプレイで表示する内容を、スクロール表示と連動させることができ、それによって演出効果が向上する。
【０００８】
スクロール表示器は、図柄が描かれたリール又はベルトを回転させてスクロール表示する形態でもよいし、液晶表示器やＣＲＴ等の画像によってスクロール表示する形態でもよい。スクロール表示の回転周波数は一定でもよいし変化してもよい。
【０００９】
請求項２記載の遊技機は、請求項１記載の遊技機において、前記透明ディスプレイには、前記スクロール表示器にてスクロール表示される図柄中の特定図柄と同形であるが色が異なる異色図柄が表示されることを特徴とする。
透明ディスプレイとスクロール表示器とで、互いに同形であるが色が異なる図柄を表示するので、スクロール表示の回転周波数と透明ディスプレイによる異色図柄の表示タイミング等に応じて双方の同形の図柄が重畳表示される。互いに同形であるが色が異なるので、両者の色の重畳（混色）によってスクロール表示器の特定図柄が変色して見える。これにより特定図柄の見栄えを良好にでき、また目立たせることができる。なお、特定図柄は１種類でもよいし複数種類あってもよい。
【００１０】
請求項３記載の遊技機は、請求項２記載の遊技機において、前記異色図柄は、前記スクロール表示器によるスクロール表示と同方向又は逆方向にスクロール表示されるので、特定図柄と異色図柄の回転周波数に応じて、両者が重畳した図柄（重畳図柄）を停止表示したり、微速でスクロール表示することができる。
【００１１】
例えば特定図柄の回転周波数ｆ１と異色図柄の回転周波数ｆ２とを、ｆ２＝−ｆ１（同周波数、逆方向スクロール）とすれば、重畳図柄を一定の位置に表示でき、遊技者には特定図柄が停止表示されているかに見える。
また、両者のスクロール方向を同方向にして、ｆ２＜ｆ１（ｆ２とｆ１の差は小さい。）にすれば重畳図柄を微速で上昇スクロールさせることができ、逆にｆ２＞ｆ１にすれば重畳図柄を微速で下降スクロールさせることができる。
【００１２】
つまり、通常では視認できない程度の高速でスクロール表示される特定図柄を擬似的に停止表示したり微速スクロールにできる。これにより、いわゆる目押しを極めて良好にサポートできる。
請求項４記載の遊技機は、請求項２記載の遊技機において、前記異色図柄は、前記スクロール表示器によるスクロール表示と直交する方向にスクロール表示されることを特徴とする。
【００１３】
異色図柄が特定図柄のスクロール方向と直交する方向にスクロール表示されても、回転周波数ｆ１に応じて回転周波数ｆ２を制御することで、重畳図柄を一定の位置に表示（擬似的に停止表示）できるので、上記と同様の効果が得られる。また、特定図柄と異色図柄という関係を持たせない場合でも、透明ディスプレイによる図柄のスクロール方向をスクロール表示器によるスクロール表示と直交する方向にすることで、立体的に交差しながらスクロール表示するという、新規且つ独特の演出効果により遊技性を高めることができる。例えばスクロール表示器によって横方向に図柄が揃い且つ透明ディスプレイによる図柄が縦方向に揃うと特別な大当たりにする等が可能である。
【００１４】
請求項５記載の遊技機は、請求項２記載の遊技機において、前記異色図柄は、前記スクロール表示器に表示される前記特定図柄の表示周期と同期的に間欠表示されるので、請求項３の構成においてｆ２＝−ｆ１としたときと同様に重畳図柄を擬似的に停止表示でき、同様の効果が得られる。
【００１５】
請求項６記載の遊技機は、請求項１から５のいずれか１項に記載の遊技機において、前記透明ディスプレイがＥＬディスプレイであることを特徴とする。ＥＬディスプレイは、透明性に優れており、しかも自発光するのでバックライトは不要であるから、本発明に好適である。
【００１６】
【発明の実施の形態】
以下、図面を参照して本発明の実施形態を説明する。なお、下記の実施形態は本発明をパチスロ機に適用した例であるが、パチスロ機としての構成は公知技術に従っているので、本発明との関連が薄い部分の図示と説明は省略する。
［実施形態１］
図１に示すのはパチスロ機の図柄表示装置の主要部の説明図である。この図柄表示装置１０は、周知のリール１２と透明ディスプレイであるＥＬディスプレイ１４とを備えている。
【００１７】
リール１２の胴は複数種類の図柄が印刷されたフィルムによって構成されている。また、図２に示すように、リール１２はモータ１５に連結されており、モータ１５によって回転駆動される。そして、リール１２が回転するとそれらの図柄が上方から下方へとスクロール表示される。つまり、リール１２とモータ１５とでスクロール表示器が構成されている。なお、リール１２の図柄を照明するためのランプ（図示略）が備わっている。
【００１８】
ＥＬディスプレイ１４の構成は公知技術に従っているので詳細な説明は省略するが、透明なガラス基板上に透明な薄膜のＥＬ素子を積層し、そのＥＬ素子を透明なカバーガラスを被覆した構造である。
図２に示すように、ＥＬ素子の走査電極１７及びデータ電極１９はそれぞれ走査ドライバ２１、データドライバ２３に接続されている。走査ドライバ２１及びデータドライバ２３によって走査電極１７とデータ電極１９とに印加される電圧を制御することにより、各走査電極１７と各データ電極１９との交点に対応するＥＬセル（ドット）の発光、すなわちＥＬディスプレイ１４の表示が制御される。なお、図２においては走査電極１７及びデータ電極１９は模式的に示されており、実際の走査電極１７及びデータ電極１９は高密度で配置されている。
【００１９】
制御手段として機能する制御装置２５は、公知のパチスロ機と同様にマイクロコンピュータを中心にして構成されており、走査ドライバ２１及びデータドライバ２３を介してＥＬディスプレイ１４の表示を制御できる。また、モータ駆動回路２７を介してモータ１５の回転、停止すなわちリール１２の回転、停止を制御できる。なお、図示省略しているがリール１２の原点を１回転毎に検出するセンサが備わっており、モータ１５がステッピングモータであることから、制御装置２５はリール１２の停止位置、すなわち停止時に表示される図柄を正確に制御及び認識できる。
【００２０】
制御装置２５にはスタートスイッチ２９の操作信号、ストップスイッチ３１の操作信号、その他の信号が入力され、マイクロコンピュータがそれら入力信号を参照して演算処理を行うことで、リール１２の回転、ＥＬディスプレイ１４の表示、払出し用のホッパ３３、各種の電飾等３５を制御し、またその他の制御信号を出力してパチスロ機の各部を制御する。
【００２１】
なお、図２にはリール１２、モータ１５、モータ駆動回路２７及びストップスイッチ３１を各１個しか示していないが、実際にはリール１２は３個が並置されており、モータ１５、モータ駆動回路２７及びストップスイッチ３１もリール１２に対応して３個ずつ備わっている。
【００２２】
制御装置２５はスタートスイッチ２９の操作信号に応じてリール１２を回転させ、ストップスイッチ３１の操作信号に応じてリール１２を停止させ、３つのリール１２が全て停止したときに表示されている図柄の組合せによって入賞か否かを判断し、入賞が成立していればそれに対応する枚数のメダルをホッパ３３から払出させる。
【００２３】
本実施形態にあっては、そのリール１２の回転時におけるＥＬディスプレイ１４の表示が独特であるので、図３、図４を参照して詳しく説明する。
まず、リール１２には図３（ａ）に示す「７」をデザインした特定図柄７ａが描かれている。この特定図柄７ａは青色である。なお、リール１２には「７」だけでなく、例えば「チェリー」、「メロン」、「ＢＡＲ」等の各種図柄が合計で２４個描かれている。
【００２４】
一方、ＥＬディスプレイ１４には、特定図柄７ａと同形の異色図柄７ｂが表示される。ＥＬディスプレイ１４の発光色はオレンジ色であるので、異色図柄７ｂはオレンジ色で表示される。
リール１２の回転速度は人間にとっては高速であるので、リール１２の回転によってスクロール表示される特定図柄７ａは（他の図柄も）、図３（ａ）に示すようにリール１２の回転方向にかすれて見えて、認識し難い。
【００２５】
ＥＬディスプレイ１４による異色図柄７ｂのスクロール速度もリール１２と同程度にすれば、図３（ｂ）に示すように、リール１２の場合と同様に認識し難くなる。
ここで、リール１２の回転周波数をｆ１、ＥＬディスプレイ１４によってスクロール表示される異色図柄７ｂの回転周波数をｆ２、ｆ２＝−ｆ１（同周波数、逆方向スクロール）とする。
【００２６】
特定図柄７ａは、図４（ａ）に示すように、リール１２の回転（時間の経過）に伴って表示位置が下降する。一方、異色図柄７ｂの表示位置は、時間の経過に伴って上昇する（上昇しきったなら、再び下端から表示される）。
この結果、図４（ｃ）に示すように、特定図柄７ａと異色図柄７ｂとが重畳する位置が常に一定となり、ＥＬディスプレイ１４に対面している遊技者には、特定図柄７ａ（青色の７）と異色図柄７ｂ（オレンジ色の７）とが重なって、両者の色が混色した白色の７の図柄（重畳図柄７ｃ）が一定の位置に見える。すなわち、特定図柄７ａ（青色）も異色図柄７ｂ（オレンジ色）も高速で変動していて遊技者には図柄を認識できないにもかかわらず、遊技者には白色の重畳図柄７ｃが停止して見える。つまり、特定図柄７ａが重畳図柄７ｃとして擬似的に停止表示される。
【００２７】
一方、リール１２の回転方向とＥＬディスプレイ１４のスクロール方向とを同方向にしてｆ２とｆ１をずらした場合（ｆ２≠ｆ１）、リール１２の１回転毎に白色の重畳図柄７ｃの発現位置がずれる。この場合、ｆ２＜ｆ１であれば重畳図柄７ｃの発現位置が上にずれ、ｆ２とｆ１の差が小さいほどゆっくりと上がって行く。同様に、ｆ２＞ｆ１であると下にずれ、ｆ２とｆ１の差が小さいほどゆっくりと下がって行く。すなわち、ｆ２とｆ１の差が小さくて、ｆ２＜ｆ１であれば重畳図柄７ｃが微速で上昇スクロールして見え（図３（ｄ））、ｆ２＞ｆ１にすれば重畳図柄７ｃが微速で下降スクロールして見える（図３（ｅ））。
【００２８】
また、図４（ｂ）に示す（イ）、（ロ）、（ニ）及び（ホ）のタイミングでは異色図柄７ｂを表示せず、（ハ）のタイミングのみ表示しても、図４（ｃ）と同様に、一定の位置で特定図柄７ａと異色図柄７ｂとを重畳させることができ、特定図柄７ａを重畳図柄７ｃとして擬似的に停止表示することができる。
【００２９】
このように、制御装置２５がリール１２の回転周波数ｆ１に応じてＥＬディスプレイ１４によるスクロール表示の回転周波数ｆ２を制御するので、上に例示したように、ＥＬディスプレイ１４で表示する内容をリール１２のスクロール表示と連動させることができ、それによって演出効果が向上する。
【００３０】
特に、ＥＬディスプレイ１４には、リール１２に表示される図柄中の特定図柄７ａと同形であるが色が異なる異色図柄７ｂが表示されるので、特定図柄７ａの回転周波数ｆ１と異色図柄７ｂの回転周波数ｆ２とを、ｆ２＝−ｆ１とすれば、重畳図柄７ｃを一定の位置に停止表示でき、遊技者には特定図柄７ａが停止表示されているかに見える。また、ｆ２＜ｆ１にすれば重畳図柄７ｃを微速で上昇スクロールさせることができ、ｆ２＞ｆ１にすれば重畳図柄７ｃを微速で下降スクロールさせることができる。或いは、特定図柄７ａが重畳図柄７ｃの表示設定位置に来たタイミングでのみ異色図柄７ｂを表示しても、一定の位置で特定図柄７ａと異色図柄７ｂとを重畳させることができ、特定図柄７ａを重畳図柄７ｃとして擬似的に停止表示することができる。
【００３１】
このようにＥＬディスプレイ１４に表示する異色図柄７ｂの回転周波数ｆ２又は表示周期を特定図柄７ａの回転周波数ｆ１に応じて適宜に制御することで、通常では視認できない程度の高速でスクロール表示される特定図柄７ａを重畳図柄７ｃとして擬似的に停止表示したり微速スクロールにできるので、いわゆる目押しを極めて良好にサポートできる。
【００３２】
また、リール１２の前方に配置されるＥＬディスプレイ１４は透明性に優れており、しかも自発光するのでバックライトは不要であり、本発明に好適である。［実施形態２］
この実施形態は、図５（ａ）に示すとおり、スクロール表示器として液晶表示器４０を使用する例である。なお、この構成は実施形態１のリール１２を液晶表示器４０に置き換えた構成であり、リール１２を液晶表示器４０に置換（それぞれの駆動回路なども含む）した以外は、実施形態１と同様の構成であるから詳細の図示と説明は省略する。
【００３３】
本実施形態においては、図５（ｂ）に示すように、ＥＬディスプレイ１４による図柄のスクロール方向は横（左から右）、液晶表示器４０によるスクロール方向は縦（上から下）である。
ＥＬディスプレイ１４において実施形態１と同様に、液晶表示器４０に表示される図柄中のいずれか（特定図柄７ａ）と同形で異色の異色図柄７ｂを表示して、実施形態１と同様に両者を一定の位置で重畳させる制御を行えば、特定図柄７ａと異色図柄７ｂとを重畳させた重畳図柄７ｃを停止表示することができる。
【００３４】
また、特定図柄７ａと異色図柄７ｂという関係を持たせない場合でも、ＥＬディスプレイ１４による図柄のスクロール方向を液晶表示器４０によるスクロール表示の方向と直交する方向にすることで、立体的に交差しながらスクロール表示するという、新規且つ独特の演出効果により遊技性を高めることができる。例えば液晶表示器４０によって横方向に図柄が揃い且つＥＬディスプレイ１４による図柄が縦方向に揃うと特別な大当たりにする等が可能である。
【００３５】
以上、実施例に従って、本発明の実施の形態について説明したが、本発明はこのような実施例に限定されるものではなく、本発明の要旨を逸脱しない範囲でさまざまに実施できることは言うまでもない。
例えば実施形態１ではスクロール表示器としてリールを使用しているが、ベルトに置き換えてもかまわない。
【図面の簡単な説明】
【図１】実施形態１の図柄表示装置の概要図。
【図２】実施形態１のパチスロ機の制御系の説明図。
【図３】実施形態１における重畳表示の説明図。
【図４】実施形態１における重畳表示の詳細説明図。
【図５】実施形態２の説明図。
【符号の説明】
７ａ                                                                                                                                        特定図柄
７ｂ                                                                                                                                        異色図柄
７ｃ                                                                                                                                        重畳図柄
１２                                                                                                                                        リール（スクロール表示器）
１４                                                                                                                                        ＥＬディスプレイ（透明ディスプレイ）
１５                                                                                                                                        モータ（スクロール表示器）
２５                                                                                                                                        制御装置（表示制御手段）
４０                                                                                                                                        液晶表示器（スクロール表示器）
【図１】
2004154492.tif 000003
【図２】
2004154492.tif 000004
【図３】
2004154492.tif 000005
【図４】
2004154492.tif 000006
【図５】
2004154492.tif 000007